(57)【要約】【課題】 グラフ値を変化させた際に濃度が安定するまでの時間を短くすることができる印刷機のインキ供給装置を提供する。【解決手段】  グラフ値をＧｂからＧａ（Ｇｓ＝Ｇａ−Ｇｂ）に変更するに際し、暫定的にグラフ値をＧｚ１として、所定の暫定サイクル数Ｓ回分の出力を行った後に、Ｇａを出力するものとし、１サイクル分の暫定グラフ値Ｇｚ１を、濃度補正係数をγ、εを自然数として、Ｇｚ１＝Ｇａ＋｛（γ×Ｇｓ）／ε｝により求める。Ｇｚ１が正で、インキ呼び出しローラ１周分Ｇｍより小さい場合には、Ｓ＝εの間、Ｇｚ１＝Ｇａ＋｛（γ×Ｇｓ）／ε｝とする。Ｇｚ１が、インキ呼び出しローラ１周分Ｇｍを超える場合には、Ｓ＝（γ×Ｇｓ）／（Ｇｍ−Ｇａ）の間、Ｇｚ１＝Ｇｍとする。Ｇｚ１が負の場合には、Ｓ＝（γ×Ｇｓ）／Ｇａの間、Ｇｚ１＝０％とする。【選択図】    図５
2015063071.tif 000002
【特許請求の範囲】
【請求項１】
インキ壺を構成するインキ壺ローラに近接して、インキ壺ローラの長さ方向に分割された複数のインキ呼び出しローラが配置され、各インキ呼び出しローラが、インキ壺ローラに接触する呼び出し位置とインキ壺ローラから離れる非呼び出し位置とに個別に切り換えられるようになされており、制御装置によって、印刷物の絵柄面積に応じて設定されたグラフ値に基づいて、所定の間隔をおいた呼び出しタイミングごとに、所要のインキ呼び出しローラの位置を切り換えてインキを呼び出し、インキ呼び出しローラごとに、インキ壺ローラに接触してから離れるまでのインキ壺ローラの回転角度を制御することにより、インキ壺ローラからインキ呼び出しローラに呼び出すインキの周長を制御するようになされている印刷機のインキ供給装置において、
グラフ値をＧｂからＧａ（Ｇｓ＝Ｇａ−Ｇｂ）に変更するに際し、暫定的にグラフ値をＧｚ１として、所定の暫定サイクル数分の出力を行った後に、Ｇａを出力するものとし、１サイクル分の暫定グラフ値Ｇｚ１を、濃度補正係数をγ、εを自然数として、Ｇｚ１＝Ｇａ＋｛（γ×Ｇｓ）／ε｝により求め、
１．Ｇｚ１が正で、インキ呼び出しローラ１周分Ｇｍより小さい場合には、暫定サイクル数Ｓ＝εの間、Ｇｚ１＝Ｇａ＋｛（γ×Ｇｓ）／ε｝とし、
２．Ｇｚ１が、インキ呼び出しローラ１周分Ｇｍを超える場合には、暫定サイクル数Ｓ＝（γ×Ｇｓ）／（Ｇｍ−Ｇａ）の間、Ｇｚ１＝Ｇｍとし、
３．１サイクル分の暫定グラフ値Ｇｚ１が負の場合には、暫定サイクル数Ｓ＝（γ×Ｇｓ）／Ｇａの間、Ｇｚ１＝０％とすることを特徴とする印刷機のインキ供給装置。
【発明の詳細な説明】
【技術分野】
【０００１】
この発明は、印刷機のインキ供給装置、さらに詳しくは、インキ壺からインキ壺ローラ、インキ呼び出しローラおよび複数のインキ練りローラを経て印刷面にインキを供給する装置に関する。
【背景技術】
【０００２】
この種のインキ供給装置として、インキ壺を構成するインキ壺ローラに近接して、インキ壺ローラの長さ方向に分割された複数のインキ呼び出しローラが配置され、各インキ呼び出しローラが、インキ壺ローラに接触する呼び出し位置とインキ壺ローラから離れる非呼び出し位置とに個別に切り換えられるようになされており、制御装置によって、所定の間隔をおいた呼び出しタイミングごとに、所要のインキ呼び出しローラの位置を切り換えてインキを呼び出し、インキ呼び出しローラごとに、インキ壺ローラに接触してから離れるまでのインキ壺ローラの回転角度を制御することにより、インキ壺ローラからインキ呼び出しローラに呼び出すインキの周長を制御するようになされているものが知られている（特許文献１）。上記のインキ壺ローラの回転角度の制御は、インキ呼び出しローラに対する呼び出し位置への切り換え指令を出力してから非呼び出し位置への切り換え指令を出力するまでの時間を制御することにより行われる。
【０００３】
この装置において、インキ壺内からインキ壺ローラの表面に出たインキは、インキ呼び出しローラが呼び出し位置に切り換えられている間に、そのインキ呼び出しローラに移され、各インキ呼び出しローラに移されたインキは、インキ呼び出しローラが非呼び出し位置に切り換えられている間に、インキ練りローラに移される。そして、インキ呼び出しローラごとに呼び出すインキの周長を制御することにより、インキ呼び出しローラごとにインキ練りローラすなわち印刷面に供給されるインキ量が制御される。
【０００４】
このようにインキ呼び出しローラごとにインキ量が制御されるのは、印刷物の絵柄により幅方向の位置によって最適なインキ量が異なるからであり、各インキ呼び出しローラに対するインキ量は、印刷物の絵柄面積率に応じて設定される。
【０００５】
インキ量の目標値は、各色ごとかつ各インキ呼び出しローラごとの「グラフ値」として、％で表示され、印刷物の絵柄面積率に応じて予め設定された「グラフ値」に基づいて、インキ壺ローラからインキ呼び出しローラに呼び出すインキの周長（具体的には、各インキ呼び出しローラを移動させる切換弁のオン・オフ時間）が制御される。
【先行技術文献】
【特許文献】
【０００６】
【特許文献１】特開２０１１−７３４１５号公報
【発明の開示】
【発明が解決しようとする課題】
【０００７】
上記従来の印刷機のインキ供給装置では、印刷時に濃度を適正値とするために、グラフ値を上下させて調整を行っているが、グラフ値を上下させた時点で、濃度がすぐに安定することはなく、例えばグラフ値を上げたときは、印刷機のローラのインキ保有量がゆっくりと増え、これに伴って濃度が上がっていくため、グラフ値を上げてから濃度が安定するまでに時間がかかるという問題があった。
【０００８】
この発明の目的は、上記の問題を解決し、グラフ値を変化させた際に濃度が安定するまでの時間を短くすることができる印刷機のインキ供給装置を提供することにある。
【課題を解決するための手段】
【０００９】
この発明による印刷機のインキ供給装置は、インキ壺を構成するインキ壺ローラに近接して、インキ壺ローラの長さ方向に分割された複数のインキ呼び出しローラが配置され、各インキ呼び出しローラが、インキ壺ローラに接触する呼び出し位置とインキ壺ローラから離れる非呼び出し位置とに個別に切り換えられるようになされており、制御装置によって、印刷物の絵柄面積に応じて設定されたグラフ値に基づいて、所定の間隔をおいた呼び出しタイミングごとに、所要のインキ呼び出しローラの位置を切り換えてインキを呼び出し、インキ呼び出しローラごとに、インキ壺ローラに接触してから離れるまでのインキ壺ローラの回転角度を制御することにより、インキ壺ローラからインキ呼び出しローラに呼び出すインキの周長を制御するようになされている印刷機のインキ供給装置において、グラフ値をＧｂからＧａ（Ｇｓ＝Ｇａ−Ｇｂ）に変更するに際し、暫定的にグラフ値をＧｚ１として、所定の暫定サイクル数分の出力を行った後に、Ｇａを出力するものとし、１サイクル分の暫定グラフ値Ｇｚ１を、濃度補正係数をγ、εを自然数として、Ｇｚ１＝Ｇａ＋｛（γ×Ｇｓ）／ε｝により求め、１．Ｇｚ１が正で、インキ呼び出しローラ１周分Ｇｍより小さい場合には、暫定サイクル数Ｓ＝εの間、Ｇｚ１＝Ｇａ＋｛（γ×Ｇｓ）／ε｝とし、２．Ｇｚ１が、インキ呼び出しローラ１周分Ｇｍを超える場合には、暫定サイクル数Ｓ＝（γ×Ｇｓ）／（Ｇｍ−Ｇａ）の間、Ｇｚ１＝Ｇｍとし、３．１サイクル分の暫定グラフ値Ｇｚ１が負の場合には、暫定サイクル数Ｓ＝（γ×Ｇｓ）／Ｇａの間、Ｇｚ１＝０％とすることを特徴とするものである。
【００１０】
グラフ値を変化させた場合、ローラのインキ保有量が変わるまでは濃度に反映されない。したがって、従来の制御では、すぐに濃度が変化することはなく、十分な時間が経過することで、目標とする濃度に到達していた。この発明の印刷機のインキ供給装置では、グラフ値を変化させた際に、ローラのインキ保有量がすぐに変わるように、インキ量を増やす場合は、一定時間だけ急激に差分以上のインキ量を供給し、インキ量を減らす場合は、インキ呼び出しローラの出力を一定時間止めるものとされる。これにより、グラフ値を変化させた際に濃度が安定するまでの時間を短くすることができる。
【発明の効果】
【００１１】
この発明の印刷機のインキ供給装置によれば、上記のように、グラフ値を変化させた際にインキ保有量がすぐに変わるように、インキ量を増やす場合は、一定時間だけ急激に差分以上のインキ量を供給し、インキ量を減らす場合は、インキ呼び出しローラの出力を一定時間止めるものとされるので、グラフ値を変化させた際に濃度が安定するまでの時間を短くすることができる。
【図面の簡単な説明】
【００１２】
【図１】図１は、この発明の実施形態を示す印刷機のインキ供給装置の主要部の概略側面図である。
【図２】図２は、図１のインキ移しローラユニットの一部切り欠き平面図である。
【図３】図３は、図２の横断面図である。
【図４】図４は、インキ供給装置の制御装置を示すブロック図である。
【図５】図５は、インキ供給装置の制御装置の要部を示すフローチャートである。
【図６】図６は、濃度の変化の例を説明する図である。
【発明を実施するための形態】
【００１３】
以下、図面を参照して、この発明の実施形態について説明する。
【００１４】
図１は印刷機のインキ供給装置の一部を概略的に示す左側面図、図２は図１の一部を拡大して示した部分切り欠き平面図、図３は図２の拡大横断面図である。以下の説明において、図１および図３の右側（図２の下側）を前、図１および図３の左側（図２の上側）を後とし、前から見たときの左右を左右とする。
【００１５】
図１に示すように、インキ壺部材(40)の後端部に近接するようにインキ壺ローラ(41)が配置されており、これらによりインキ壺(42)が構成され、インキ壺部材(40)の後端部とインキ壺ローラ(41)の表面との間に所定の隙間を有するインキ通路(43)が形成されている。
【００１６】
インキ壺ローラ(41)の後方に、複数のインキ練りローラ(44)(46)のうちの最初のインキ練りローラ(44)が配置され、インキ壺ローラ(41)とこのインキ練りローラ(44)との間に、両者に近接して、インキ呼び出しローラユニット(45)が配置されている。ローラユニット(45)は、図２に示すように、ローラ(41)(44)の軸方向に分割された複数（図示は７つ）のインキ呼び出しローラ(15)の集合体であり、これらのインキ呼び出しローラ(15)が軸方向に小さい間隔をおいて配置されている。これらのローラ(15)(41)(44)の軸は互いに平行で、左右方向にのびている。インキ壺ローラ(41)とインキ練りローラ(44)は、印刷機のフレーム(7)に回転自在に支持され、図示しない駆動装置により、互いに同期した所定の回転速度で図１の矢印方向に連続回転させられる。たとえば、インキ壺ローラ(41)の回転速度は、インキ練りローラ(44)のそれの１／１０程度である。
【００１７】
ローラ(41)(44)と平行な直線状の支持部材(6)の左右両端部がフレーム(7)に固定され、支持部材(6)の周囲に複数の可動部材(8)が取り付けられている。支持部材(6)は、上下幅より前後幅が少し大きい角柱状をなす。可動部材(8)は短円柱状をなし、可動部材(8)にはこれを軸方向に貫通する比較的大きな角状の穴(9)が形成されている。フレーム(7)に対向状に固定されて支持部材(6)に貫かれた１対の短円柱状の固定部材(10)の間に複数の可動部材(8)が軸方向に並べられ、これらの可動部材(8)の穴(9)に支持部材(6)が通されている。可動部材(8)の穴(9)の上下幅は支持部材(6)の上下幅とほぼ等しく、穴(9)の上下両面が支持部材(6)の上下両面に摺接している。また、穴(9)の前後幅は支持部材(6)の前後幅より少し大きく、可動部材(8)は、支持部材(6)に対して、穴(9)の後面が支持部材(6)の後面に接する前端位置と、穴(9)の前面が支持部材(6)の前面に接する後端位置との間を前後に移動しうるようになっている。支持部材(6)と摺接する可動部材(8)の穴(9)の上面に、可動部材(8)の全長にわたる角みぞ(11)が形成されている。
【００１８】
各可動部材(8)は、後述するように、支持部材(6)に対して軸方向に位置決めされており、可動部材(8)相互間および両端の固定部材(10)との間には、軸方向にわずかな隙間が設けられている。このため、各可動部材(8)は、支持部材(6)に対して個別に前後方向に移動しうる。
【００１９】
各可動部材(8)の外周に、転がり軸受である玉軸受(12)の内輪が固定されている。各玉軸受(12)の外輪の外周に金属製スリーブ(14)が固定され、スリーブ(14)の外周にゴム製厚肉円筒状のインキ呼び出しローラ(15)が固定されている。
【００２０】
隣接する可動部材(6)の外周相互間に、短円柱状の防塵部材(16)がはめ被せられている。防塵部材(16)は、たとえば天然ゴム、合成ゴム、合成樹脂などの適当なゴム状弾性材料よりなり、その両端部に内側に少し張り出したフランジ部(16a)が一体に形成されている。そして、これらのフランジ部(16a)が可動部材(8)の左右両端寄りの部分の外周面に形成された環状みぞ(17)にはめられることにより、防塵部材(16)が可動部材(8)に固定されている。左右両端の可動部材(8)とこれらに隣接する固定部材(10)との外周相互間にも、同様の防塵部材(16)がはめ被せられている。
【００２１】
各可動部材(8)と支持部材(6)の間の支持部材(6)側に、次のように、インキ呼び出しローラ(15)の位置を切り換えるローラ位置切換装置(19)が設けられている。
【００２２】
可動部材(8)の軸方向中央部に対応する支持部材(6)の部分に、前面から少し後方までのびた穴を形成することによりシリンダ部(20)が形成されるとともに、後面から少し前方までのびたばね収容穴(21)が形成されている。シリンダ部(20)の中心とばね収容穴(21)の中心は、可動部材(8)の上下方向の中心近傍にある前後方向の１つの直線上にある。シリンダ部(20)内に、短円柱状のピストン(22)がＯリング(23)を介して前後摺動自在に挿入されている。ばね収容穴(21)内に、付勢部材としてのボール(24)が前後摺動自在に挿入されるとともに、これを後向きに付勢する圧縮コイルばね(25)が挿入されている。
【００２３】
ピストン(22)の中心に対向する可動部材(8)の穴(9)の前面およびボール(24)の中心に対向する穴(9)の後面に、それぞれ、凹所(26)(27)が形成されている。各凹所(26)(27)の可動部材(8)軸方向の幅は一定である。可動部材(8)の軸線と直交する断面における各凹所(26)(27)の断面形状は一様であり、上記軸線と平行な直線を中心とする円弧状をなす。凹所(26)に対向するピストン(22)の端面の中心に先細テーパ状の突起(22a)が形成され、この突起(22a)が凹所(26)にはめられている。なお、ピストン(22)の突起(22a)を除く部分の長さはシリンダ部(20)の長さよりわずかに短く、ピストン(22)がシリンダ部(20)内に最も退入した状態でも、突起(22a)の大部分が支持部材(6)の前面より突出するようになっている。一方、ボール(24)の外周の一部が、凹所(27)にはめられている。
【００２４】
支持部材(6)の後部において、ボール(24)は、常時、ばね(25)の弾性力により可動部材(8)の穴(9)の後面に圧接させられ、ボール(24)の外周の一部が、凹所(27)にはまって、凹所(27)の前後の縁部に圧接させられている。一方、支持部材(6)の前部においては、支持部材(6)の前面あるいはピストン(22)が可動部材(8)の穴(9)の前面に圧接させられ、ピストン(22)の突起(22a)の大部分が凹所(26)にはまっている。そして、このようにピストン(22)の突起(22a)の大部分とボール(24)の一部が、常時、凹所(26)(27)にはまっていることにより、支持部材(6)に対する可動部材(8)の軸方向の位置決めがなされている。
【００２５】
支持部材(6)に、その左端から軸方向にのびて右端付近で閉じた横断面円形の給気穴(28)が形成され、この穴(28)の左端開口端が適当な配管を介して圧縮空気源(29)に接続されている。
【００２６】
可動部材(8)のみぞ(11)に面している支持部材(6)の上面に切換弁（ソレノイド弁）(30)が取り付けられ、この切換弁(30)の２つのポートが支持部材(6)に形成された連通穴(31)(32)を介して給気穴(28)とシリンダ部(20)にそれぞれ連通させられている。また、切換弁(30)の電線(33)がみぞ(11)の部分を通して外部に引き出され、制御装置(34)に接続されている。
【００２７】
切換弁(30)に通電された状態（オン状態）ではシリンダ部(20)が切換弁(30)を介して給気穴(28)に連通させられ、通電を停止した状態（オフ状態）ではシリンダ部(20)が切換弁(30)を介して大気と連通させられる。そして、制御装置(34)で各切換装置(19)の切換弁(30)の通電状態を個別に切り換えることにより、各インキ呼び出しローラ(15)の前後方向の位置が個別に切り換えられる。
【００２８】
切換弁(30)がオフ状態に切り換えられると、シリンダ部(20)が大気と連通させられるため、ピストン(22)はシリンダ部(20)内を自由に移動できる状態になる。このため、可動部材(8)はばね(25)によりボール(24)を介して後側に移動させられる。その結果、可動部材(8)およびインキ呼び出しローラ(15)は後端位置（非呼び出し位置）に切り換えられ、インキ呼び出しローラ(15)がインキ壺元ローラ(41)から離れてインキ練りローラ(44)に圧接する。
【００２９】
切換弁(30)がオン状態に切り換えられると、シリンダ部(20)が給気穴(28)およびさらにこれを介して圧縮空気源(29)に連通させられるため、シリンダ部(20)に圧縮空気が供給される。このため、ばね(25)の力に抗して、ピストン(22)が支持部材(6)から前方に突出し、これによって可動部材(8)が前側に移動させられる。その結果、可動部材(8)およびインキ呼び出しローラ(15)は前端位置（呼び出し位置）に切り換えられ、インキ呼び出しローラ(15)がインキ練りローラ(44)から離れてインキ壺ローラ(41)に圧接する。
【００３０】
可動部材(8)の穴(9)の底壁と摺接する支持部材(6)の下面に、磁気センサよりなる位置切換検知センサ(35)が埋め込み式に固定され、これに対向する可動部材(8)の穴(9)の底壁に、永久磁石(36)が埋め込み式に固定されている。センサ(35)の下面は、支持部材(6)の下面と面一であるか、それより少し内側（上側)に位置している。永久磁石(36)の上面は、可動部材(8)の穴(9)の底壁面と面一であるか、それより少し内側（下側）に位置している。可動部材(8)が後端位置に切り換えられた状態では、センサ(35)は永久磁石(36)の前後方向中央部に対向し、可動部材(8)が前端位置に切り換えられた状態では、センサ(35)は永久磁石(36)から後方に外れる。したがって、可動部材(8)の位置によってセンサ(35)の出力が変化し、センサ(35)の出力により、可動部材(8)すなわちインキ呼び出しローラ(15)がいずれの位置にあるかがわかる。
【００３１】
インキ壺(42)内のインキは、インキ通路(43)を通ってインキ壺ローラ(41)の外周表面に出る。インキ壺ローラ(41)の表面に出るインキの膜厚はインキ通路(43)の隙間の大きさに対応し、インキ通路(43)の隙間の大きさを調節することにより、インキ壺ローラ(41)の表面に出るインキの膜厚が調節される。通常は、全てのインキ呼び出しローラ(15)についてインキの膜厚が等しくなるように、インキ通路(43)の隙間の大きさが調節される。インキ壺ローラ(41)の外周表面に出たインキは、インキ呼び出しローラ(15)が前端位置に切り換えられている間に、そのインキ呼び出しローラ(15)に移され、各インキ呼び出しローラ(15)に移されたインキは、インキ呼び出しローラ(15)が後端位置に切り換えられている間にインキ練りローラ(44)に移される。インキ練りローラ(44)に移されたインキは、さらに、図３に示すように、他の複数のインキ練りローラ(46)を経て、印刷面に供給される。また、センサ(35)の出力により、インキ呼び出しローラ(15)の位置の切り換えが正常であるかどうかが検知され、インキ呼び出しローラ(15)が正常に切り換えられなかった場合には、警報が発せられる。
【００３２】
上記の印刷機では、制御装置(34)により、所定の間隔をおいた呼び出しタイミングごとに、所要のインキ呼び出しローラ(15)の位置を切り換えてインキを呼び出し、インキ呼び出しローラ(15)ごとに、インキ壺ローラ(41)に接触してから離れるまでのインキ壺ローラ(41)の回転角度（接触回転角度）を制御することにより、インキ壺ローラ(41)からインキ呼び出しローラ(15)に呼び出すインキの周長を制御するようになっており、その結果、印刷面に供給されるインキ量がその幅方向の位置によって調節される。
【００３３】
接触回転角度の制御は、インキ呼び出しローラ(15)に対する呼び出し位置への切り換え指令（接触指令）を出力してから非呼び出し位置への切り換え指令（非接触指令）を出力するまでの時間（接触指令時間）を制御することにより行われる。
【００３４】
印刷される絵柄が示されると、絵柄面積読取り装置を使用して絵柄面積率を読み取ることで、インキ供給量に対応するグラフ値が算出され、このグラフ値がインキ呼び出しローラ(15)とインキ壺ローラ(41)との接触長に換算されて、上記のインキ供給の制御に使用される。グラフ値は、各インキ呼び出しローラ(15)ごとに所定の色のインキをどの程度使用するかを示すインキ量の目標値となっており、所定の色を使用しない場合には０％、最大限使用する場合を１００％として、％で表示される。したがって、各インキ呼び出しローラ(15)が対応する箇所の絵柄面積に応じて３０％、４０％、１０％などと設定される。この％表示のグラフ値に基づいて、インキ呼び出しローラ(15)の呼び出し時間（インキ壺ローラ(41)とインキ呼び出しローラ(15)との接触時間すなわち切換弁(30)をオンする時間）が制御される。使用される色が８色であれば、８つの版胴（８つのインキ呼び出しローラユニット(45)）が使用され、グラフ値は、各色（各版胴＝インキ呼び出しローラユニット(45)）ごと各インキ呼び出しローラ(15)ごとに設定される。
【００３５】
こうした制御を行うことによって、各色の濃度はどの位置でも一定となるはずであるが、実際には、濃度値は、各インキ呼び出しローラ(15)ごとに違った値となる。そこで、濃度が薄い箇所では、この箇所にインキを供給している各インキ呼び出しローラ(15)のグラフ値を上げ、濃度が濃い箇所では、この箇所にインキを供給している各インキ呼び出しローラのグラフ値を下げることが好ましい。
【００３６】
この実施形態では、以下のようにして、インキ供給装置の制御装置(34)によって、濃度値がフィードバックされることで、濃度値が適正な値に維持される。
【００３７】
図４は、インキ供給装置の制御装置(34)をブロック図で示している。図４において、印刷機には、濃度測定装置(50)が設けられて、印刷物の濃度が測定されるようになされている。
【００３８】
濃度を測定するには、印刷の版に濃度測定用のパッチを設置し、このパッチに対応した部分の濃度を測定すればよい。濃度測定装置(50)は、公知のものを使用すればよく、濃度値は、濃度測定箇所とされた部分のＲＧＢ成分の相加平均値として求めることができる。上記のインキ供給装置では、複数の色に対応して、複数の版胴が使用され、各版胴に対応して、複数のインキ呼び出しローラ(15)の集合体としてのインキ呼び出しローラユニット(45)がそれぞれ設置されていることから、濃度値は、全てのインキ呼び出しローラユニット(45)の全てのインキ呼び出しローラ(15)のそれぞれについて測定される。濃度測定は、オンラインで測定されることが好ましいが、オフラインで測定してもよい。いずれにしろ、得られた濃度値は、印刷された順に、インキ供給装置の制御装置にフィードバックされる。
【００３９】
インキ供給装置の制御装置(34)は、濃度目標値設定手段(51)と、グラフ値設定手段(52)と、濃度予想値演算手段(53)と、グラフ変動値演算手段(54)と、制御用グラフ値演算手段(55)と、切換弁オン・オフ手段(56)とを備えている。
【００４０】
グラフ値設定手段(52)および切換弁オン・オフ手段(56)は、従来からある部分で、グラフ値設定手段(52)には、インキ呼び出しローラ(15)ごと各色ごとのグラフ値が設定され、切換弁オン・オフ手段(56)は、グラフ値に基づいて切換弁(30)（図２および図３参照）のオンの時間を制御する。
【００４１】
従来では、グラフ値設定手段(52)に蓄えられているグラフ値Ｇｂに基づいて、このグラフ値Ｇｂとなるように、切換弁オン・オフ手段(56)における切換弁(30)のオン時間が決められ、このオン・オフ信号が切換弁(30)に出力されるようになされていた。
【００４２】
この実施形態では、グラフ値設定手段(52)に蓄えられているグラフ値Ｇｂは、制御用グラフ値演算手段(55)で変更され、この変動後のグラフ値Ｇａによって、切換弁オン・オフ手段(56)における切換弁(30)のオン時間が決められている。
【００４３】
変動後のグラフ値Ｇａは、濃度測定装置(50)によって求められた濃度測定値Ｘｎに基づいて次のようにして求められている。
【００４４】
まず、濃度予想値演算手段(53)においては、複数個の濃度測定値に基づいて、濃度予想値Ｙが求められる。濃度は、例えば、図６に示すように変化する。図示した例では、１回目、２回目、３回目と徐々に濃度が小さくなっている途中であり、この段階では、１．８５で収束するのか、１．８０で収束するのか、１．７５で収束するのかは不明である。目標値が１．８０の場合、ｎ回目（最終）の濃度予想値Ｙが１．８５であれば、濃度が薄くなるようにグラフ値を下げればよく、濃度予想値Ｙが１．７５であれば、濃度が濃くなるようにグラフ値を上げればよい。
【００４５】
濃度予想値は、１または複数個の測定値を取得して、これらの複数個の測定値を使用した演算により求められる。
【００４６】
濃度を２回以上（ｎ回）測定する場合、濃度予想値は次のようにして求める。
【００４７】
まず、ｎ回測定の全ての測定値（Ｘ１，Ｘ２，……，Ｘｎ）を用い、標準偏差σを求める。ｎ回分の平均値をＸａとする。
【００４８】
σ２＝｛（Ｘ１−Ｘａ）２＋（Ｘ２−Ｘａ）２＋……＋（Ｘｎ−Ｘａ）２｝／ｎ
次に、標準偏差σから、ｎ回測定測定のうちの最終（ｎ回目）の測定値の偏差値Ｔを算出する。
【００４９】
Ｔ＝｛１０×（Ｘｎ−Ｘａ）／σ｝
このＴを計算することで、最終（ｎ回目）に測定した濃度がｎ回測定した全体の中でどの程度の濃度であるかが判別できる。
【００５０】
次に、濃度予想係数αを使って、濃度予想値Ｙを算出する。
【００５１】
Ｙ＝Ｘｎ＋｛Ｔ×｜Ｘｎ−Ｘａ｜×α
なお、ｎ回とも同じ測定値の場合には、Ｙ＝Ｘ１＝（Ｘ２＝Ｘｎ）とする。また、１回測定の場合も、Ｙ＝Ｘ１とする。
【００５２】
グラフ変動値演算手段(54)では、濃度予想値Ｙを使用して、グラフ値を次のようにして求める。
【００５３】
インキの濃度目標値（基準値）をＫとすると、インキの過不足の比率Ｌが、次の式から算出される。
【００５４】
Ｌ＝（Ｙ−Ｋ）×１００／Ｋ（％）
ここで、グラフ値補正係数βを用いて、グラフ変動値Ｇｓを算出する。変更前のグラフ値をＧｂとする。
【００５５】
Ｇｓ＝Ｇｂ×Ｌ×β÷１００（％）
となる。
【００５６】
制御用グラフ値演算手段(55)においては、変更後のグラフ値ＧａがＧａ＝Ｇｂ＋Ｇｓで求められる。この変更後のグラフ値Ｇａは、予め設定されていたグラフ値Ｇｂに代えて、制御用グラフ値として使用され、この制御用グラフ値Ｇａに基づいて、切換弁(30)のオンの時間が制御される。
【００５７】
濃度予想係数αおよびグラフ値補正係数βは、例えば１としておいて、経験的に適正な値に設定すればよい。αの値を変えることで、予想値が調整でき、βの値を変えることで、グラフ変動値が調整できる。βについては、濃度予想値Ｙ＞濃度目標値Ｋのときと濃度予想値Ｙ＜濃度目標値Ｋのときとで異なる値としてもよい。
【００５８】
上記の濃度補正により、濃度は目標値に収れんする。ここで、場合によっては、収れんに時間を要し、適正な濃度を得るまでの時間が長い（適正な濃度でない印刷物が多く発生する）という問題がある。そこで、上記制御用グラフ値演算手段(55)においては、変更後のグラフ値Ｇａとする前に、１サイクル分の暫定グラフ値Ｇｚ１を所定の暫定サイクル数Ｓ回出力するものとされる。
【００５９】
１サイクル分の暫定グラフ値Ｇｚ１を所定の暫定サイクル数Ｓ回出力するための制御プログラムの要部を図５のフローチャートに示す。
【００６０】
図５のフローチャートに示すように、グラフ値の変更の制御に際しては、グラフ値の変更の指示があると(S1)、１サイクル分の暫定グラフ値Ｇｚ１およびこれを実行するサイクル数をＳとし、変更前のグラフ値Ｇｂ、変更後のグラフ値Ｇａおよび濃度補正係数γを使用して、変更前後のグラフ値差分ＧｓをＧｓ＝Ｇａ−Ｇｂとして求め、増幅インキ量ＧｒをＧｒ＝γ×Ｇｓとして求め、暫定グラフ値ＧｚをＧｚ＝Ｇａ＋Ｇｒ＝Ｇａ＋（γ×Ｇｓ）として求める(S2)。
【００６１】
１サイクル分の暫定グラフ値Ｇｚ１は、増幅インキ量Ｇｒをεサイクルに分けて出力するとして、Ｇｚ１＝Ｇａ＋｛（γ×Ｇｓ）／ε｝により求める(S3)。
【００６２】
Ｇｓ＝Ｇａ−Ｇｂであり、Ｇａ＜ＧｂおよびＧａ＞Ｇｂのいずれの場合もあり得るので、Ｇｚ１は、正負いずれの値にもなり、正の場合には、暫定グラフ値＝増幅グラフ値となって、１サイクル分の暫定グラフ値＝１サイクル分の供給インキ量は、Ｇａよりも大きい値となる。１サイクル分の供給インキ量は、インキ呼び出しローラ(15)の１周分によって供給されるインキ量Ｇｍを超えることはできない。そこで、Ｇｚ１が正の場合には、Ｇｚ１がインキ呼び出しローラ(15)の１周分によって供給されるインキ量Ｇｍを超えるか超えないかで場合分けが必要となる。Ｇｚ１が負の場合には、負のインキ量の供給は存在しないので、インキ量の供給量を０％とし、Ｇｚ１の値に応じて、インキ量の供給量０％を何サイクル行うかが計算される。
【００６３】
そこで、まず、Ｇｚ１≧０かどうかを判定して(S4)、Ｇｚ１＜０であれば、ステップ(S7)に移るようにして、Ｇｚ１≧０であれば、Ｇｚ１≦Ｇｍかどうかを判定する(S5)。そして、Ｇｚ１≦Ｇｍであれば、１サイクル分の暫定グラフ値Ｇｚ１を既に求めているＧｚ１＝Ｇａ＋｛（γ×Ｇｓ）／ε｝として、これをεサイクル分出力する(S6)。これで、暫定的に出力を増幅するステップは完了し、この後、従来と同様の出力である変更後グラフ値に移行する(S9)。
【００６４】
Ｇｚ１≦Ｇｍかどうかを判定するステップ(S5)で、Ｇｚ１≦Ｇｍでない場合、すなわち、Ｇｚ１＞Ｇｍであれば、１サイクル分の暫定グラフ値Ｇｚ１を供給可能な最大量であるインキ呼び出しローラ(15)の１周分によって供給されるインキ量Ｇｍ（Ｇｚ１＝Ｇｍ）とする。この場合、１サイクルで供給されるインキ量の増幅分は（Ｇｍ−Ｇａ）であり、トータルで増幅必要なインキ量がＧｒ＝γ×Ｇｓであるので、増幅に必要なサイクル数Ｓは、Ｓ＝（γ×Ｇｓ）／（Ｇｍ−Ｇａ）で求められる(S8)。これで、暫定的に出力を増幅するステップは完了し、この後、従来と同様の出力である変更後グラフ値に移行する(S9)。
【００６５】
Ｇｚ１≧０かどうかを判定するステップ(S4)でＧｚ１＜０の場合には、ステップ(S7)において、１サイクル分の暫定グラフ値Ｇｚ１＝０とされる。この場合、１サイクルで使用される（減少する）インキ量はＧａであり、トータルで減少必要なインキ量がＧｒ＝γ×Ｇｓであるので、減少に必要なサイクル数Ｓは、Ｓ＝（γ×Ｇｓ）／Ｇａで求められる。これで、暫定的に出力を増幅（減少量を増幅）するステップは完了し、この後、従来と同様の出力である変更後グラフ値に移行する(S9)。
【００６６】
こうして、この実施形態のインキ供給装置では、従来の……Ｇｂ→Ｇａ……Ｇａ……という出力に対し、……Ｇｂ→Ｇｚ１……Ｇｚ１→Ｇａ……Ｇａ……という出力とされる。そして、３つの場合に分けて、１サイクル分の暫定グラフ値Ｇｚ１およびこれに対応する暫定サイクル数Ｓを上記の演算で求めることにより、インキ量を増やす場合であっても、インキ量を減らす場合であっても、グラフ値を変化させた際に濃度が安定するまでの時間を短くすることができる。
【００６７】
なお、上記フローチャートにおいて、Ｇｚ１＝０の場合をＧｚ１≧０の方に含め、Ｇｚ１＝Ｇｍの場合をＧｚ１≦Ｇｍに含めるようにしているが、Ｇｚ１＝０の場合をＧｚ１≦０の方に含め、Ｇｚ１＝Ｇｍの場合をＧｚ１≧Ｇｍに含めるようにしても全く同じ結果（Ｇｚ１およびＳの値が同じ）が得られる。
【００６８】
また、上記において、印刷物は、紙以外のもの例えば缶であってもよい。
【符号の説明】
【００６９】
(15)    インキ呼び出しローラ
(34)    制御装置
(41)    インキ壺ローラ
(42)    インキ壺
【図１】
2015063071.tif 000003
【図２】
2015063071.tif 000004
【図３】
2015063071.tif 000005
【図４】
2015063071.tif 000006
【図５】
2015063071.tif 000007
【図６】
2015063071.tif 000008